(57)【要約】【課題】ワイヤハーネスを低背化するとともに、電線束への取付け作業および取外し作業を容易に行い得るバンドクリップ等を提供する。【解決手段】バンド体４０とクリップ体２０とを備え、バンド体４０は、第１の帯状部分Ｓ１と一対の第２の帯状部分Ｓ２とを有し、各第２の帯状部分の内側面には、幅方向に延在する複数の凸条部４２が設けられ、各第２の帯状部分の外側面には、各凸条部に対応して幅方向に延在する複数の切込み４４が形成され、クリップ体２０には、支柱部２２および皿部３０を縦に貫通するとともに支柱部２２および皿部３０の一側に開放した貫通空間部２４が形成され、貫通空間部内に一対のバンド挟持部２８が設けられ、電線束５０への装着時にはバンド体４０の第１の帯状部分Ｓ１が電線束に巻付けられ、両第２の帯状部分Ｓ２の凸条部４２が噛み合わされた状態に両第２の帯状部分Ｓ２が一対のバンド挟持部２８に挟持される。【選択図】図１
2017184445.tif 000002
【特許請求の範囲】
【請求項１】
電線束に巻付けられるバンド体と、前記バンド体とは別体に成形され前記バンド体の前記電線束への巻付け時に前記バンド体を挟持しかつ支持パネルに形成された取付孔に係止されるクリップ体と、を備え、
前記バンド体は、前記電線束に一巻きされる第１の帯状部分と、前記第１の帯状部分の両端に夫々延在され内側面同士が互いに対向するよう重ね合わされる一対の第２の帯状部分と、を有し、前記各第２の帯状部分の内側面には、長さ方向に垂直な幅方向に延在する複数の凸条部が所定の間隔で設けられ、前記各第２の帯状部分の外側面には、前記各凸条部の両側面基端縁に対応して前記幅方向に延在する複数の切込みが形成され、
前記クリップ体は、支柱部の一端に皿部が設けられ、他端の両側よりアンカー部が張り出しており、前記アンカー部と前記皿部とで前記支持パネルの前記取付孔に係止されるようになっており、前記支柱部および前記皿部を縦に貫通するとともに前記支柱部および前記皿部の一側が開いている貫通空間部が形成され、前記貫通空間部内に離間して対向する一対のバンド挟持部が設けられ、
前記バンド体と前記クリップ体とは、前記電線束への装着時に、前記第１の帯状部分が前記電線束に巻付けられ、前記一対の第２の帯状部分の前記凸条部同士が噛み合わされた状態に前記両第２の帯状部分を前記一対のバンド挟持部で挟持するようになっていることを特徴とするバンドクリップ。
【請求項２】
前記一対のバンド挟持部の間隔は、前記バンド体の前記両第２の帯状部分の前記凸条部同士が噛み合わされた状態の前記両第２の帯状部分の全体の厚みより狭く、前記バンド挟持部の弾性変形を伴いつつ前記両第２の帯状部分が前記バンド挟持部に挟持されることを特徴とする請求項１に記載のバンドクリップ。
【請求項３】
前記各バンド挟持部の内側上端部に突起部が設けられていることを特徴とする請求項１または２に記載のバンドクリップ。
【請求項４】
前記クリップ体は、前記皿部において前記アンカー部と反対側の面に、位置ずれ防止用の凸部が形成されていることを特徴とする請求項１ないし３のいずれか１項に記載のバンドクリップ。
【請求項５】
電線束と、請求項１ないし４のいずれか１項に記載のバンドクリップと、を有し、前記バンド体が前記電線束に巻付けられ、前記クリップ体に挟持されていることを特徴とするワイヤハーネス。
【発明の詳細な説明】
【技術分野】
【０００１】
本発明は、バンドクリップおよびこれを備えたワイヤハーネスに関する。
【背景技術】
【０００２】
従来、車両内にワイヤハーネスを配索するためにバンドクリップが用いられている。従来の一般的なバンドクリップは、バンド体とクリップ体とを有する。バンド体は、ワイヤハーネスの電線束に巻付けられるバンド体と、バンド体の基端を固定しかつ先端部側をロックするバンド体固定部と、を有する樹脂製の一体成形品である。バンド体固定部には、バンド挿通孔が形成され、その孔内部にロック爪が設けられている。このロック爪と、バンド挿通孔に挿通されるバンド体に設けられたロック溝とが係合することで、係合状態がロックされる。また、クリップ体は、バンド体固定部と一体の皿部と、皿部と一体の支柱部と、支柱部と一体のアンカー部とを有する。支柱部およびアンカー部が、支持パネルに形成された取付孔に挿入され、アンカー部と皿部とで支持パネルを両側から挟んでバンドクリップを支持する。
【０００３】
しかし、従来のバンドクリップでは、バンド体固定部が、皿部の電線束側に設けられていたので、支持パネルからワイヤハーネス頂部までの高さが、バンド体固定部の高さ分だけ高くなっていた。そこで、支持パネルからのワイヤハーネスの高さを低くする（低背化）ための種々の対策がとられてきた（例えば、特許文献１参照）。
【０００４】
特許文献１には、図７に示すように、支持筒１０２と、該支持筒１０２の外周面から突設した車体パネル押当用の皿部１０３と、支持筒１０２の皿部１０３より基部側両端から突出する２本のバンド１０４、１０５と、支持筒１０２の皿部１０３より突出側両側面に突設した一対の係止部１０６を備えたバンドクリップ１００が開示されている。
【０００５】
このバンドクリップ１００では、支持筒１０２に断面長方形のバンド貫通穴１１０が形成されている。このバンド貫通穴１１０の一端の基端側開口から電線群１２１Ａ、１２１Ｂにそれぞれ巻き付けた２本のバンド１０４、１０５を挿入して、他端の突出側開口から引き出す構成である。また、バンド貫通穴１１０の対向面から一対の係止片１１２、１１３を突設し、これら係止片を２本のバンド１０４、１０５に設けた係止溝１０４ａ、１０５ａに選択的に係止して締結するようになっている。支持筒１０２に形成されたバンド貫通穴１１０においてバンド１０４、１０５を係止しているので、従来のバンド体固定部が不要になり、ワイヤハーネス１２０の低背化が実現されている。
【先行技術文献】
【特許文献】
【０００６】
【特許文献１】特開２０１５−２２０８２９号公報
【発明の概要】
【発明が解決しようとする課題】
【０００７】
しかしながら、特許文献１に記載のものにあっては、バンドをロックするための係止片が支持筒の内部に設けられているため、バンドクリップを電線束から取り外す際に目視で確認することが難しく、ロックを解除するのが難しかった。また、ロック用の係止片が両バンドにそれぞれ設けてあり、すなわちロック部が２つあり、通常よりロックを解除するのに時間がかかっていた。
【０００８】
また、支持筒の突出向きとバンドの引出し方向が同じであるため、例えば、ワイヤハーネスの製作時に電線束を図板上に設定して、支持筒の突出側が図板側に向くようにバンドクリップを電線束に取付ける場合に、支持筒先端と図板とのスペースが狭く、バンド貫通穴から出ている余分なバンドを切断工具で切断することが難しかった。このような場合には、例えばワイヤハーネス自体を反転させてバンドクリップを取付けていた。
【０００９】
本発明は、上述のような課題を解決するためになされたもので、ワイヤハーネスを低背化するとともに、電線束への取付け作業および取外し作業を容易に行うことができるバンドクリップおよびこれを備えたワイヤハーネスを提供することを目的とする。
【課題を解決するための手段】
【００１０】
本発明に係るバンドクリップは、上記目的達成のため、電線束に巻付けられるバンド体と、前記バンド体とは別体に成形され前記バンド体の前記電線束への巻付け時に前記バンド体を挟持しかつ支持パネルに形成された取付孔に係止されるクリップ体と、を備え、前記バンド体は、前記電線束に一巻きされる第１の帯状部分と、前記第１の帯状部分の両端に夫々延在され内側面同士が互いに対向するよう重ね合わされる一対の第２の帯状部分と、を有し、前記各第２の帯状部分の内側面には、長さ方向に垂直な幅方向に延在する複数の凸条部が所定の間隔で設けられ、前記各第２の帯状部分の外側面には、前記各凸条部の両側面基端縁に対応して前記幅方向に延在する複数の切込みが形成され、前記クリップ体は、支柱部の一端に皿部が設けられ、他端の両側よりアンカー部が張り出しており、前記アンカー部と前記皿部とで前記支持パネルの前記取付孔に係止されるようになっており、前記支柱部および前記皿部を縦に貫通するとともに前記支柱部および前記皿部の一側が開いている貫通空間部が形成され、前記貫通空間部内に離間して対向する一対のバンド挟持部が設けられ、前記バンド体と前記クリップ体とは、前記電線束への装着時に、前記第１の帯状部分が前記電線束に巻付けられ、前記一対の第２の帯状部分の前記凸条部同士が噛み合わされた状態に前記両第２の帯状部分を前記一対のバンド挟持部で挟持する構成である。
【００１１】
上述のように、本発明のバンドクリップは、支柱部および皿部を縦に貫通する貫通空間部内に離間して対向する一対のバンド挟持部でバンド体の両第２の帯状部分を挟持する構成である。したがって、従来のようなバンド体固定部を皿部のワイヤハーネス側に設ける必要がない。これにより、従来のバンド体固定部の高さ分だけ、ワイヤハーネスを低背化することができる。
【００１２】
また、本発明のバンドクリップのバンド体には、各第２の帯状部分の外側面に、各凸条部の両側面基端縁に対応して幅方向に延在する複数の切込みが形成されている。これにより、バンドクリップを電線束に取付けるとき、一対のバンド挟持部でバンド体の両第２の帯状部分を挟持した状態で、余分なバンド体を切込みのある箇所にて手で容易に切断することができる。従来のように切断工具が必要ないので、電線束への取付け作業が容易である。
【００１３】
また、本発明のバンドクリップは、貫通空間部内に離間して対向する一対のバンド挟持部でバンド体の両第２の帯状部分を挟持するようになっており、かつ、貫通空間部は支柱部および皿部を縦に貫通するとともに支柱部および皿部の一側が開いた構成である。これにより、電線束からバンドクリップを取り外す場合に、挟持されたバンド体の第２の帯状部分を、貫通空間部の開放した側に横スライドさせるという簡単な操作で取り外すことができる。このため、取り外すための工具も必要なく、工数も削減できる。したがって、電線束からのバンドクリップの取外し作業を容易に行うことができる。
【００１４】
以上のように、本発明のバンドクリップによれば、ワイヤハーネスを低背化するとともに、電線束への取付け作業および取外し作業を容易に行うことができる。
【００１５】
また、前記一対のバンド挟持部の間隔は、前記バンド体の前記両第２の帯状部分の前記凸条部同士が噛み合わされた状態の前記両第２の帯状部分の全体の厚みより狭く、前記バンド挟持部の弾性変形を伴いつつ前記両第２の帯状部分が前記バンド挟持部に挟持される構成としてもよい。
【００１６】
この構成により、バンド体の第２の帯状部分をより確実に挟持することができる。よって、自動車に用いられた場合に、車両の振動等によってクリップ体からバンド体が外れ難くなっている。また、挟持しただけの簡単な構造なので、手で所要の力をかければバンド体をクリップ体から取り外すこともできる。
【００１７】
また、前記各バンド挟持部の内側上端部に突起部が設けられた構成としてもよい。
【００１８】
この構成により、バンド体の第２の帯状部分を挟んで保持する力を強くすることができる。これにより、バンド体がクリップ体から抜け落ち難くなっている。また、バンド挟持部の突起部でバンド体をしっかり挟持しているので、突起部のすぐ上で切込みに沿ってバンド体を容易に切断することができる。このため、余分なバンド体がクリップ体の上部からはみ出すことがない。
【００１９】
また、前記クリップ体は、前記皿部において前記アンカー部と反対側の面に、位置ずれ防止用の凸部が形成された構成としてもよい。
【００２０】
この構成により、クリップ体がワイヤハーネスの電線束に対して位置ずれを起こしたり、捻じれたりすることがない。
【００２１】
本発明に係るワイヤハーネスは、電線束と、上記バンドクリップと、を有し、前記バンド体が前記電線束に巻付けられ、前記クリップ体に挟持された構成である。
【発明の効果】
【００２２】
本発明によれば、ワイヤハーネスを低背化するとともに、電線束への取付け作業および取外し作業を容易に行うことができるバンドクリップおよびこれを備えたワイヤハーネスを提供することができる。
【図面の簡単な説明】
【００２３】
【図１】本発明の実施の形態に係るバンドクリップおよびワイヤハーネスを示す概略正面図である。
【図２】本発明の実施の形態に係るクリップ体を示し、図２（ａ）はその正面図であり、図２（ｂ）は側面図であり、図２（ｃ）は平面図である。
【図３】図２（ｃ）のＡ−Ａ断面図である。
【図４】本発明の実施の形態に係るバンド体を示し、図４（ａ）はその正面図であり、図４（ｂ）は右側面図であり、図４（ｃ）は背面図である。
【図５】バンド体の噛み合いの様子を示す説明図であり、図５（ａ）は噛み合う前の状態を示し、図５（ｂ）は噛み合った後の状態を示す。
【図６】本発明の実施の形態に係るバンドクリップを電線束に取付ける方法を示す説明図である。
【図７】特許文献１に記載されたバンドクリップの構成を示す説明図であり、図７（ａ）はその正面図であり、図７（ｂ）は断面図である。
【発明を実施するための形態】
【００２４】
以下、本発明の実施の形態について、図面を参照して説明する。
【００２５】
本実施の形態に係るバンドクリップ１０は、車両内等で支持パネル２に電線束５０を配索する際に電線束５０の配索経路を規制するためのものである。図１に示すように、バンドクリップ１０は、電線束５０に巻付けられるバンド体４０と、バンド体４０の電線束５０への巻付け時にバンド体４０を挟持しかつ支持パネル２に形成された取付孔３に係止されるクリップ体２０と、を備えている。バンド体４０とクリップ体２０とは別体の部品であり、それぞれ例えばポリプロピレン（ＰＰ）などの合成樹脂製の一体成形品である。
【００２６】
図４に示すように、バンド体４０は、帯状の部材であり、電線束５０に一巻きされる第１の帯状部分Ｓ１と、第１の帯状部分Ｓ１の両端に夫々延在され内側面同士が互いに対向するよう重ね合わされる一対の第２の帯状部分Ｓ２、Ｓ２と、を有している。図４（ａ）、図４（ｂ）に示すように、各第２の帯状部分Ｓ２、Ｓ２の内側面４０ａには、長さ方向に垂直な幅方向に延在する複数の凸条部４２が所定の間隔で設けられている。また、図４（ｂ）、図４（ｃ）に示すように、各第２の帯状部分Ｓ２、Ｓ２の外側面４０ｂには、各凸条部４２の両側面基端縁４２ａ、４２ａに対応して幅方向に延在する複数の切込み４４が形成されている。
【００２７】
具体的には、バンド体４０の第２の帯状部分Ｓ２の内側面４０ａに形成された凸条部４２は、直方体形状を有しており、バンド体４０の全幅にわたって形成されている。全幅にわたって形成する代わりに、バンド体４０の全幅の一部に延在するように凸条部４２を形成するようにしてもよい。隣接する２つの凸条部４２の間隔は、凸条部４２の幅より若干広く設けてある。これにより、一方の第２の帯状部分Ｓ２における隣接する２つの凸条部４２の間に、他方の第２の帯状部分Ｓ２における１つの凸条部４２を組み込むことができるようになっている。バンド体４０の第１の帯状部分Ｓ１には凸条部や切込みは形成されていない。
本実施形態ではバンド体４０の第１の帯状部分Ｓ１に凸条部や切込みは形成されていないが、第１の帯状部分Ｓ１にも第２の帯状部分Ｓ２と同様に凸条部や切込みが形成された構成としてもよい。
【００２８】
バンド体４０の第２の帯状部分Ｓ２の外側面４０ｂに形成された切込み４４は、バンド体４０の全幅にわたって直線状に形成されている。全幅にわたって形成する代わりに、バンド体４０の全幅の一部に延在するように切込み４４を形成するようにしてもよい。切込み４４は、直線状に連続して形成する代わりに、破線状に断続的に形成してもよい。切込み４４の深さは、バンド体４０を手でちぎれる程度の適度の深さとなっている。切込み４４は、内側面４０ａに形成された各凸条部４２の両方の側面基端縁４２ａ、４２ａに対応して形成されている。すなわち、１つの凸条部４２に対して、一対の切込み４４が形成されている。このようにすることで、バンド体４０の第２の帯状部分Ｓ２、Ｓ２同士を重ね合わせて凸条部４２を噛み合わせる際に、噛み合わせる相手方の凸条部４２がずれていたとしても、バンド体４０を容易に切断できるようになっている。
【００２９】
図５は、バンド体４０の噛み合いの様子を示している。図５（ａ）に示すような噛み合わせられる前のバンド体４０は、柔軟に曲げることができ、切込み４４の存在にも関わらず曲げても折れないように可撓性を有している。バンド体４０は、クリップ体２０のバンド挟持部２８に挟持されているとき、図５（ｂ）に示すように凸条部４２が互いに噛み合わさった状態になっている。噛み合わさることで、バンド体４０の両側で一対の第２の帯状部分Ｓ２、Ｓ２を１本の幹として扱うことが可能となり、切断も容易にできるようになる。噛み合わさった状態でのバンド体４０の全体の厚みＤ２（図５（ｂ）参照）は、クリップ体２０のバンド挟持部２８間の隙間の幅Ｄ１（図３参照）より若干大きくなっている。
【００３０】
電線束５０は、複数の被覆電線５２がテープ巻き５４で束ねられたものであるが、その上にコルゲートチューブなどの外装品が外装されたものでもよいし、テープ巻き等で束ねられていない状態でもよい。
【００３１】
図１に示すように、クリップ体２０は、支柱部２２の一端に皿部３０が一体に設けられ、他端の両側よりアンカー部２６が張り出しており、アンカー部２６と皿部３０とで支持パネル２の取付孔３に係止されるようになっている。
【００３２】
具体的には、羽根状のアンカー部２６、２６は、その最大幅が取付孔３より若干大きくなっており、取付孔３への挿入時にはアンカー部２６の幅が狭まるように張り出し基部が弾性変形して取付孔３を通過できるようになっている。通過後は、係止爪２６ａが取付孔３の周縁に当たってクリップ体２０が取付孔３から抜けないようになっている。皿部３０は、アンカー部２６とは反対側で、上面部あるいはその外縁部が支持パネル２に当接し、アンカー部２６と皿部３０とで支持パネル２にクリップ体２０を支持している。
【００３３】
また、クリップ体２０には、支柱部２２および皿部３０を縦に貫通するとともに支柱部２２および皿部３０の一側に開放した貫通空間部２４が形成され、貫通空間部２４内に離間して対向する一対のバンド挟持部２８、２８が設けられている。
【００３４】
具体的には、支柱部２２は、図２（ｃ）に示すように、対向する両側壁部２２ａ、２２ｂと一側壁部２２ｃとを備え、断面コ字形状を有している。これら３つの側壁部２２ａ、２２ｂ、２２ｃで囲まれた内部空間が貫通空間部２４の一部を構成している。支柱部２２の対向する両側壁部２２ａ、２２ｂの内面側に直方体形状のバンド挟持部２８、２８が対向して設けられている。本実施形態では、バンド挟持部２８、２８は、クリップ体２０の他の構成要素と同じ材料で形成されているが、他の構成要素より柔らかい別の材料で形成されていてもよい。
【００３５】
皿部３０にも、支柱部２２に対応して断面矩形の貫通孔３３が形成され、貫通空間部２４の一部を構成している。皿部３０には、さらに断面矩形の貫通孔３３に通じる矩形切欠き部３２が端縁より形成されている。したがって、クリップ体２０の支柱部２２および皿部３０を縦に貫通する貫通空間部２４が形成され、その中にバンド体４０の重ね合された第２の帯状部分Ｓ２が挿通、係止されるようになっている。この貫通空間部２４は、一側方（図２（ａ）において手前側、図２（ｃ）において下側）に開放しており、バンド体４０を側方から挿入および取出しができるようになっている。
【００３６】
電線束５０への装着時にはバンド体４０の第１の帯状部分Ｓ１が電線束５０に巻付けられ、両第２の帯状部分Ｓ２、Ｓ２の凸条部４２同士が噛み合わされた状態で両第２の帯状部分Ｓ２、Ｓ２が一対のバンド挟持部２８、２８に挟持されるようになっている。
【００３７】
一対のバンド挟持部２８、２８の間隔は、バンド体４０の両第２の帯状部分Ｓ２、Ｓ２の凸条部４２同士が噛み合わされた状態の両第２の帯状部分Ｓ２、Ｓ２の全体の厚みより狭く、バンド挟持部２８、２８の弾性変形を伴いつつ両第２の帯状部分Ｓ２、Ｓ２がバンド挟持部２８、２８に挟持されるようになっている。
各バンド挟持部２８の幅（すなわち、図２（ｃ）において長方形で示されたバンド挟持部２８の長辺の長さ）は、バンド体４０の幅に等しくなっている。これにより、バンド体４０は、その全幅にわたって一対のバンド挟持部２８、２８により挟持されるようになっている。
【００３８】
また、図３に示すように、各バンド挟持部２８、２８の内側上端部に突起部２８ａ、２８ａが設けられている。この突起部２８ａは、先端が内側に向かって尖った形状を有しており、バンド体４０の第２の帯状部分Ｓ２に形成された切込み４４に入り込むことができるようになっている。また、突起部２８ａにより、対向する２つのバンド挟持部２８、２８の間の挟持隙間２９の幅が突起部２８ａのところで若干狭くなっている。
【００３９】
また、クリップ体２０は、皿部３０においてアンカー部２６と反対側の面に、位置ずれ防止用の凸部３４が形成されている。具体的には、図２（ａ）、図２（ｂ）に示すように、直方体形状の凸部３４が皿部３０に４個突設されている。
【００４０】
また、本発明の実施の形態に係るバンドクリップ１０は、電線束５０と、バンドクリップ１０と、を有し、バンド体４０が電線束５０に巻付けられ、クリップ体２０に挟持されている。
【００４１】
次に、本実施の形態に係るバンドクリップ１０を電線束５０に取付ける方法を説明する。
まず、図６（ａ）に示すように、バンド体４０の第１の帯状部分Ｓ１を電線束５０に巻付ける。このとき、バンド体４０の内側面４０ａが電線束５０に当接するようにする。
【００４２】
次に、図６（ｂ）に示すように、バンド体４０の両第２の帯状部分Ｓ２、Ｓ２を、内側面４０ａの凸条部４２が噛み合うように重ね合わせた状態にしておき、クリップ体２０の貫通空間部２４に挿入する。具体的には、クリップ体２０のアンカー部２６を手６０で持って、バンド体４０の第２の帯状部分Ｓ２がクリップ体２０の貫通空間部２４内の挟持隙間２９（離間した一対のバンド挟持部２８、２８の間に形成される隙間）に入っていくように、クリップ体２０を下方向Ｙに移動させる。この移動により、電線束５０が位置ずれ防止用の凸部３４に当接し、位置ずれ機能を発揮する状態になるようにする。ここで、クリップ体２０の移動方向は下方向Ｙに限定されるものではなく、例えば、バンド体４０の第２の帯状部分Ｓ２を、クリップ体２０の貫通空間部２４の開放した側方から横に移動させて、挟持隙間２９内に挿入してもよい。あるいは、バンド体４０の第２の帯状部分Ｓ２を側方から横に移動させて挟持隙間２９内に挿入した後、クリップ体２０を下方向Ｙに移動させるようにしてもよい。
【００４３】
次に、図６（ｃ）に示すように、クリップ体２０の先端部から突出したバンド体４０を手６０で摘んで、左右方向Ｘに振って余分なバンド体４０を適当な切込み４４で千切りとる。このとき、バンド体４０を手６０でねじるようにして適当な切込み４４で切断するようにしてもよい。これで取付け作業が完了し、図６（ｄ）に示すようなワイヤハーネス１が出来上がる。
【００４４】
次に、作用・効果について説明する。
上述したように、本発明の実施形態に係るバンドクリップ１０は、支柱部２２および皿部３０を縦に貫通する貫通空間部２４内に離間して対向する一対のバンド挟持部２８、２８でバンド体４０の両第２の帯状部分Ｓ２、Ｓ２を挟持する構成である。したがって、従来のようなバンド体固定部を皿部のワイヤハーネス側に設ける必要がない。これにより、従来のバンド体固定部の厚み分だけ、ワイヤハーネスを低背化することができる。
【００４５】
また、本発明の実施形態に係るバンドクリップ１０のバンド体４０には、各第２の帯状部分Ｓ２、Ｓ２の外側面４０ａに、各凸条部４２の両側面基端縁４２ａ、４２ａに対応して幅方向に延在する複数の切込み４４が形成されている。これにより、バンドクリップ１０を電線束５０に取付けるとき、一対のバンド挟持部２８、２８でバンド体４０の両第２の帯状部分Ｓ２、Ｓ２を挟持した状態で、余分なバンド体５０を切込み４４のある箇所にて手で容易に切断することができる。従来のように切断工具が必要ないので、電線束への取付け作業が容易である。これにより、クリップ体２０側のスペースが狭く、切断用工具が入らない場所であっても、余分なバンド体４０を切断することができる。
【００４６】
また、本発明の実施形態に係るバンドクリップ１０は、貫通空間部２４内に離間して対向する一対のバンド挟持部２８、２８でバンド体５０の両第２の帯状部分Ｓ２、Ｓ２を挟持するようになっており、かつ、貫通空間部２４は支柱部２２および皿部３０を縦に貫通するとともに支柱部２２および皿部３０の一側が開いた構成である。これにより、電線束５０からバンドクリップ１０を取り外す場合に、挟持されたバンド体４０の第２の帯状部分Ｓ２、Ｓ２を、貫通空間部２４の開放した側に横スライドさせるという簡単な操作で取り外すことができる。このため、取り外すための工具も必要なく、工数も削減できる。したがって、電線束５０からのバンドクリップ１０の取外し作業を容易に行うことができる。
【００４７】
しかも、従来のバンドクリップは取り外すときにロック爪などが破損して再利用できないのが通常であったが、このクリップ体２０は従来のようにロック爪などを有していないので、破損することがなく再利用することもできる。
【００４８】
また、一対のバンド挟持部２８の間隔は、バンド体４０の重ね合された状態の両第２の帯状部分Ｓ２、Ｓ２の全体の厚みより狭く、バンド挟持部２８の弾性変形を伴いつつ両第２の帯状部分Ｓ２がバンド挟持部２８に挟持されるので、バンド体４０の第２の帯状部分Ｓ２をより確実に挟持することができる。よって、自動車に用いられた場合に、車両の振動等によってクリップ体２０からバンド体４０が外れ難くなっている。また、挟持しただけの簡単な構造なので、手で所要の力をかければバンド体４０を取り外すこともできる。
【００４９】
また、各バンド挟持部２８の内側上端部に突起部２８ａが設けられているので、バンド体４０の第２の帯状部分Ｓ２を挟んで保持する力を強くすることができる。これにより、バンド体４０がクリップ体２０から抜け落ち難くなっている。また、バンド挟持部２８の突起部２８ａでバンド体４０をしっかり挟持しているので、突起部２８ａのすぐ上で切込み４４に沿ってバンド体４０を容易に切断することができる。このため、余分なバンド体４０がクリップ体２０の上部からはみ出すことがない。
【００５０】
また、クリップ体２０には、皿部３０においてアンカー部２６と反対側の面に、位置ずれ防止用の凸部３４が形成されているので、クリップ体２０がワイヤハーネス１の電線束５０に対して位置ずれを起こしたり、捻じれたりすることがない。
【００５１】
また、本実施の形態に係るワイヤハーネス１は、電線束５０と、バンドクリップ１０と、を有し、バンド体４０が電線束５０に巻付けられ、クリップ体２０に挟持された構成であるので、バンドクリップ１０について上述した効果と同様の効果を奏する。
【００５２】
本発明は、ワイヤハーネスを低背化するとともに、電線束への取付け作業および取外し作業を容易に行うことができるという効果を有し、バンドクリップおよびこれを備えたワイヤハーネスの全般に有用である。
【符号の説明】
【００５３】
１  ワイヤハーネス
２  支持パネル
３  取付孔
１０  バンドクリップ
２０  クリップ体
２２  支柱部
２４  貫通空間部
２６  アンカー部
２８  バンド挟持部
２８ａ  突起部
３０  皿部
３４  凸部
４０  バンド体
４２  凸条部
４２ａ  側面基端縁
４４  切込み
５０  電線束
Ｓ１  第１の帯状部分
Ｓ２  第２の帯状部分
【図１】
2017184445.tif 000003
【図２】
2017184445.tif 000004
【図３】
2017184445.tif 000005
【図４】
2017184445.tif 000006
【図５】
2017184445.tif 000007
【図６】
2017184445.tif 000008
【図７】
2017184445.tif 000009